(57)【要約】【課題】固定的な納骨堂内壁８でありながら、納骨堂内壁８とその背部にある骨壷収納庫２０との関係を密接にすると共に、参拝者が内壁８に向かうことによって目的とする骨壷収納庫２０を確実に意識できるようにする。【解決手段】納骨堂内壁８を構成する各構成部材１を、透明なブロック状物体内に宗教を象徴する物体を備えたものとし、宗教を象徴する物体を多種多様なものとする。  そして、各利用者又は各関係者によって多種多様の中から選ばれたそれぞれ独自の宗教を象徴する物体を備えた構成部材１により納骨堂内壁８は構成される。したがって、独自の宗教を象徴する物体を備えた構成部材１は、利用者又は関係者にとって墓標の意味を持つものとなり、納骨堂内壁８もその意味を持つものとなる。【選択図】図５
2004211484.tif 000002
【特許請求の範囲】
【請求項１】
透明素材から成る立方体形状又は直方体形状のブロック状物体と、その内部に備えられている透明素材又は半透明素材から成る宗教を象徴する物体とから構成されることを特徴とする納骨堂内部の構成部材。
【請求項２】
前記宗教を象徴する物体が、多種多様あり、その多種多様の中の一つが前記ブロック状物体の内部に備えられているこを特徴とする請求項１に記載の納骨堂内壁の構成部材。
【請求項３】
前記透明素材又は半透明素材がクリスタルガラス、普通ガラス又はプラスチックであることを特徴とする請求項１に記載の納骨堂内壁の構成部材。
【請求項４】
前記プロック状物体が、該ブロック状物体を前面から背面に向けて貫通する貫通孔を有し、前記宗教を象徴する物体が該貫通孔内に備えられていることを特徴とする請求項１に記載の納骨堂内壁の構成部材。
【請求項５】
前記宗教を象徴する物体が、前記ブロック状物体に埋め込まれていることを特徴とする請求項目ｌに記載の納骨堂内壁の構成部材。
【請求項６】
前記プロック状物体が、蓋を備える容器であり、該容器内に前記宗教を象徴する物体が備えられていることを特徴とする請求項１に記載の納骨堂内壁の構成部材。
【請求項７】
前記構成部材が照明されることを特徴とする請求項１に記載の納骨堂内壁の構成部材。
【請求項８】
前記構成部材が複数個左右上下に設置されて構成されることを特徴とする納骨堂内壁。
【請求項９】
前記構成部材が収容可能な収容部を左右上下に複数有し、該複数の収容部のそれぞれに前記構成部材が収容された棚によって構成されることを特徴とする納骨堂内壁。
【請求項１０】
前記構成部材の各々に光を照射する照明手段が備えられることを特徴とする請求項８又は９に記載の納骨堂内壁。
【請求項１１】
前記納骨堂内部は、納骨堂内部中央の礼拝スペースと納骨堂外周の骨壷収納庫設置スペースとを仕切るものであることを特徴とする請求項８から１０のいずれかに記載の納骨堂内壁。
【請求項１２】
前記各構成部材が、前記納骨堂内壁の背部の骨壷収納庫設置スペースに設置されている複数の骨壷収納庫の各骨壷収納庫の利用者と対応関係にあることを特徴とする請求項８から１０のいずれかに記載の納骨堂内壁。
【請求項１３】
前記各構成部材又は前記宗教を象徴する各物体が、前記各利用者又はその関係者によって選ばれたものであることを特徴とする請求項１２に記載の納骨堂内壁。
【請求項１４】
前記各構成部材又は前記宗教を象徴する各物体に前記各利用者を特定する標識を付すことを特徴とする請求項１３に記載の納骨堂内壁。
【請求項１５】
前記構成部材毎に、又は前記構成部材全てについて、照明手段によって照明可能であることを特徴とする請求項１０に記載された納骨堂内壁。
【請求項１６】
前記照明手段の制御が、コンピュータにより行なわれることを特徴とする請求項１５に記載の納骨堂内壁。
【発明の詳細な説明】
【０００１】
【発明の属する技術分野】
近年、都市部における墓地不足に対処して、多数の骨壷収納庫を内部に設置した納骨堂の建設及びその運営が行われている。
この発明は、納骨堂内に設置される内壁に関するものであり、特に、その納骨堂内壁の構成部材及びその構成部材によって構成される納骨堂内壁に関するものである。
【０００２】
【従来の技術】
従来、納骨堂は、その内部の中央部が礼拝スペースとされ、その内部の外周部が骨壷収納庫設置スペースとされ、これら両スペースを仕切るために内壁が設置されている。    したがって、礼拝スペースにいる参拝者は、内壁に遮られて目的とする骨壷収納庫を直接見ることができない。  そして、内壁の礼拝スペース側の面には、礼拝の雰囲気にふさわしい絵或いは模様等の装飾がなされ、この内壁に続く部分に比較的大きな仏像を載置する壇が設けられているのが一般的である。又搬送装置を用いて骨壷収納庫を礼拝スペースまで移動させてくる納骨堂もある。
【０００３】
【発明が解決しょうとする課題】
参拝者は、装飾がなされただけの内壁の場合、壇に載置されている比較        的大きな仏像に向って参拝するのであるが、それだけではもの足らず、参拝者が目的とする骨壷収納庫を意識して、その骨壷収納庫の設置されている方向に向って手を合わせたりする。  しかし、目の前には内壁があって、直接目的とする骨壷収納庫を見ることができないから、どうしても物足りなさが残る。      このように、単に装飾的な内壁では、骨壷収納庫との関連が薄いため、内壁に向って手を合わせても今ひとつ参拝の雰囲気が盛り上がらないという問題があった。
【０００４】
一方、搬送装置を利用するものは、参拝者の面前にまで目的とする骨壷収納庫が移動されて来るので物足りなさはないものの、目的とする骨壷収納庫が高速で上下左右しながら出て来るのを見ることは参拝者として忍びないものがあった。又、待ち時間も必要のため、参拝者の参拝の気持ちの高まりがそがれるということもあった。  しかも、搬送装置の設置のためには多額の費用が必要であり、さらに、搬送装置には可動部があるため、その設備の維持管理にも費用を必要とするという問題があった。
【０００５】
この発明の目的は、可動部のある搬送装置などを用いない固定的な内壁でありながら、内壁と骨壷収容庫との関係を密接にすると共に、参拝者が内壁に向かうことによって目的とする骨壷収容庫を確実に意識できるようにすることにある。
【０００６】
【課題を解決するための手段】
前記目的は、透明素材から成る立方体形状又は、直方体形状のブロック状物体と、その内部に備えられている透明素材又は半透明素材から成る宗教を象微する物体とから構成される納骨堂内壁の構成部材によって達成される。  
【０００７】
前記納骨堂内壁の構成部材において、前記宗教を象徴する物体が、多種多様あり、その多種多様の中の一つが前記ブロック状物体の内部に備えられて          いることが望ましい。
【０００８】
前記納骨堂内壁の構成部材において、前記透明素材又は半透明素材がクリスタルガラス、普通ガラス又はプラスチックであることが望ましい。
【０００９】
前記納骨堂内壁の構成部材において、前記ブロック状物体が、該ブロック状物体を前面から背面に向けて貫通する貫通孔を有し、前記宗教を象徴する物体が該貫通孔内に備えられていることが望ましい。
【００１０】
前記納骨堂内壁の構成部材において、前記宗教を象徴する物体が、前記ブロック状物体に埋め込まれていることが望ましい。
【００１１】
前記納骨堂内壁の構成部材において、前記ブロック状物体が、蓋を有する容器であり、該容器内に前記宗教を象徴する物体が備えられていることが望ましい。
【００１２】
前記納骨堂内壁の構成部材において、前記構成部材が照明されることが望ましい。
【００１３】
前記目的は、前記納骨堂内壁が、前記構成部材を複数個左右上下に設置して構成されることによって達成される。
【００１４】
前記目的は、前記納骨堂内壁が、前記構成部材が収容可能な収容部を左右上下に複数有し、該複数の収容部のそれぞれに前記構成部材が収容された棚によって構成されることによって達成される。
【００１５】
前記納骨堂内壁において、前記構成部材の各々に光を照射する照明手段が備えられることが望ましい。
【００１６】
前記納骨堂内壁において、前記納骨堂内壁は、納骨堂内部中央の礼拝スペ―スと納骨堂内部外周の骨壷収納庫設置スペースとを仕切るのもであることが望ましい。
【００１７】
前記納骨堂内壁において、前記各構成部材が、前記納骨堂内壁の背部の骨壷収納庫設置スペースに設置されている複数の骨壷収納庫の利用者と対応関係にあることが望ましい。
【００１８】
前記納骨堂内壁において、前記各構成部材又は宗教を象徴する各物体は前記各利用者又はその関係者によって選ばれたものであることが望ましい。
【００１９】
前記納骨堂内壁において、前記各構成部材又は宗教を象徴する各物体に前記各利用者を特定する標識を付すことが望ましい。
【００２０】
前記納骨堂内壁において、前記構成部材毎に、又は前記構成部材全てについて、照明手段によって照明可能であることが望ましい。
【００２１】
前記納骨堂内壁において、前記照明手段の制御が、コンピュータにより行われることが望ましい。
【００２２】
【作用】
この発明によれば、納骨堂内壁は、宗教を象徴する多種多様な物体の中の一つを内部に備えている多数の構成部材によって構成される。  したがって、利用者又はその関係者は、多種多様の物体の中から一つの物体又はその一つの物体を備えた構成部材を選ぶことができるから、構成部材を、納骨堂を利用したいとする生前の利用者又はその遺族である関係者独自のものとすることが可能となり、それゆえ、多数の構成部材と納骨堂内壁の背部の骨壷収納庫設置スペースに設置される多数の骨壷収納庫とをそれぞれ対応付けるこが可能となり、納骨堂内壁と骨壷収納庫との関係を密接なものとすることできるようになる。
【００２３】
【実施例】
次に、この発明の実施例について説明する。
図１に示すように、納骨堂内壁を構成する個々の構成部材１は、透明なガラス又はプラスチックから構成される立方体状又は直方体状のブロック状物体２と、その内部に備えられる、例えば、仏像、仏顔、仏手、蓮華、位牌、石牌、拝む女性像或いはそれらを組み合わせたもの等の宗教を象徴する多種多様の物体３の中の一つとから成る。
宗教を象徴する物体３は、納骨堂を利用したいとする生前の利用者又はその遺族である関係者が見て、祭られるにふさわしいと感じられるもの又は祭るにふさわしいと感じられるものであればよく、例示したものに限られない。
宗教を象徴する物体３は、透明のクリスタルガラス、普通ガラス又はプラス  チックから構成されてもよいし、磨りガラスにより半透明にされてもよい。
又、着色されたガラス又はプラスチックによって作られてもよいし、周囲に金箔が貼られてもよい。
【００２４】
図１（ａ）の第１の実施形態に係る構成部材１は、ブロック状物体２に前面から背面に向けて貫通孔４を設け、その貫通孔４内に宗教を象徴する物体３を設置するものである。  貫通孔４の断面形状としては、矩形、菱形、台形、多角形、円、楕円、上円下方のアーチ形、ハート形、三つ葉形、四つ葉形等多種多様ある。宗教を象徴する物体３は、貫通孔４内に、接着剤により設置されるか、凹凸を利用した周知の結合手段により設置される。
【００２５】
図１（ｂ）の第２の実施形態に係る構成部材１は、ブロック状物体２に宗教を象徴する物体３を埋設したものである。  先ず、宗教を象徴する物体３を立方体状又は直方体状の空間を有する型内に入れ、次に溶けたガラス又はプラスチックを型に流し込むことによって作成される。  この場合、宗教を象徴する物体３は、周囲の透明素材と区別するために、磨りガラスにより作られたもの又は着色により半透明とされたものが好ましい。
【００２６】
図１（ｃ）の第３の実施形態に係る構成部材１は、ブロック状物体２を蓋６を有する容器５とし、該容器５内に宗教を象徴する物体３を設置し、蓋６をしたものである。
宗教を象徴する物体３は、容器５内に、接着剤により設置されるか、凹凸を利用した周知の結合手段により設置される。
【００２７】
ブロック状物体２の正面側外周部には、図（ａ）〜（ｃ）に示すように、経文等の文字、模様等から成る装飾７を付けることができる。  装飾７の付け方としては、彫り込み、型による鋳込みがある。
【００２８】
構成部材１を用いて造られる第１の実施形態に係る納骨堂内壁８は、図２に示すように、多数の構成部材１を並べかつ積み重ね、これら多数の構成  部材１相互を接着剤によって接着したものである。
多数の構成部材１相互を接着する接着剤は、透明性のあるものが好ましい。
【００２９】
図３は、複数の構成部材１をそれぞれ収容可能な複数の収容部１０を有する棚９を用いて造られた第２の実施形態に係る納骨堂内壁８である。
すなわち、縦横のフレーム１１、１２により前後が開放された複数の収容部１０を有する棚９を作り、複数の収容部１０に複数の構成部材１を収容設置することにより納骨堂内壁８を構成するのである。
構成部材１は、収容部１０内に、接着剤により設置されるか、凹凸を利用した周知の結合手段により設置される。  接着剤を用いる場合は、透明性の  ある接着剤が好ましい。
又は、構成部材１は、図４に示すように、棚９の収容部１０に設置されて  もよい。  すなわち、構成部材１は、図４（ａ）に示すように、縦横フレーム１１、１２に切り起こし片１３を設け、この切り起こし片１３を利用して設置される。構成部材１は、図４（ｂ）に示すように、横フレーム１１の礼拝スペース１８側端部に設けられた係止部１４に、その前端を係止して設置される。  
構造部材１は、図４（ｃ）に示すように、横フレーム１１の骨壷収納庫設置スペース１９側端部に設けれれた溝１６に、その底部の後部に形成された突部１５を係合させて設置される。  突部１５を含めた構成部材１の高さは、収容部１０の高さより高くされる。こうして、構成部材１は、礼拝スペース１８側から容易に取り外せないように設置される。
収容部１０に構成部材１を収容設置する第２の実施形態に係る納骨堂内壁８の場合には、必要により構成部材１を骨壷収納庫設置スペース１９側から取り外すことが容易となり、したがって、構成部材１の取り替えが容易となる。
【００３０】
納骨堂内壁８は、納骨堂の平面図である図５に示すように、納骨堂１７内部中央の礼拝スペース１８と納骨堂内部外周の骨壷収納庫設置スペース１９とを仕切る位置に設置される。
【００３１】
そして、納骨堂内壁８を構成する複数の構成部材１の各構成部材１を、納骨堂内壁８の背部の骨壷収納庫設置スペース１９に設置されている複数の骨壷収納庫２０の各骨壷収納庫２０と対応させるようにする。
すなわち、図１（ａ）又は図１（ｃ）に示すように、貫通孔４内又は容器５内に宗教を象徴する物体３が備えられるものは、宗教を象徴する多種多様な物体３の中から一つの物体３を選ぶことができ、又、図１（ｂ）に示すように、宗教を象徴する物体３が構成部材１中に埋め込まれているものは、多種多様な構成部材１の中から一つの構成部材１を選ぶことができるから、各構成部材１又は宗教を象徴する各物体３を、生前に各利用者自身が選だもの、又は、その関係者である遺族が選んだもの、とすることができる。
それゆえ、各構成部材１又は宗教を象徴する各物体３は、それ自体、利用者又は関係者にとって、墓標に等しい意味を持つものとなる。
更にその意味を強調するために、図１に示すように、各構成部材１又は宗教を象徴する各物体３に各利用者を特定する標識２１を付すこともできる。
【００３２】
又、納骨堂内壁８は、その背部にある骨壷収納庫２０と前記した関係にあるから、納骨堂内壁８に向かって礼拝することは、すなわちそのまま関係する骨壷収納庫設置２０に向かって礼拝することになる。
【００３３】
構成部材１及び納骨堂内壁８は、照明手段であるラインファイバーフィク      スチャ２４及び照明ボックス２８によって照明されるようになっている。
先ず、ラインファイバーフィクスチャ２４について説明する。
納骨堂１７の縦断面図である図６及び納骨堂天井内を含む平面図である第７図に示すように、礼拝スペース１８の天井２２に、納骨堂内壁８と平行にスリット２３を設け、天井２２内にラインファイバーフィクスチャ２４を設置し、このラインファイバーフィクスチャ２４をスリット２３のところに位置させる。  ラインファイバーフィクスチャ２４は、光ファイバー２５の集合体であり、各光ファイバー２５は集合され、光ファイバーケーブル２６となって、光源装置２７に導かれる。
ラインファイバーフィクスチャ２４を構成する各光ファイバー２５から照射される光は、礼拝スペース１８の天井２２のスリット２３を通って、納骨堂内壁８の正面全体を照明する。  そして、光源装置２７を制御することにより、照明をやめたり明るさを変化させたりすることができる。
【００３４】
次に、照明ボックス２８について説明する。
照明ボックス２８は、構成部材１を背部から照明するために、構成部材１毎にその背部に設けられる。
照明ボックス２８は、正面図である図８（ａ）に示す正面の大きさが構成部材１正面とほぼ同じで、その中央に貫通部２９を有し、全体として角形ドーナツの形状をしている。  その厚さは、横断面図である図８（ｂ）及び側断面図である図８（ｃ）に示すように、構成部材１のそれより薄く形成さている。  ドーナツ形状の前面は透明部材により形成され、その他の面はスチールにより形成され、その内部には発光体である光ケーブル３０が設けられる。
照明ボックス２８は、構成部材１の背部位置に設置される。  したがって、
多数の構成部材１を並べかつ積み重ね、これら多数の構成部材１相互を接着剤によって接着した図２に示す第１の実施形態に係る納骨堂内壁８の場合には、別途、照明ボックス２８を載置する棚を当該納骨堂内壁８の背部に設置するか、各構成部材１毎に、照明ボックス２８を取付けるようにする。  複数の構成部材１をそれぞれ収容可能な複数の収容部１０を有する棚９を用いて造られた図３に示す第２の実施形態に係る納骨堂内壁８の場合には、各照明ボックス２８を、図８（ｂ）及び図８（ｃ）に示すように、棚９の各収容部１０に、構成部材１と共に設置する。
各照明ボックス２８の背部の一側には、図８（ｂ）及び図（ｃ）に示すように、各発光体３０に光を導くための光ケーブルを収容する配線スペース３１が設けられる。
【００３５】
照明手段を構成するラインファイバーフィクスチャ２４が納骨堂内壁８の正面全体を照明し、照明手段を構成する照明ボックス２８が納骨堂内壁８を構成する個々の構成部材１をその背部から個々に照明するようになっている。
そして、照明手段は、個々の構成部材１及び納骨堂内壁８の正面全体が独自に、或いは、個々の構成部材１及び納骨堂内壁８の正面全体が協同して、照明されるように、マイクロコンピュータによって制御されることが好ましい。
すなわち、参拝者が礼拝スペース１８に入ったことを検知して、各照明ボックス２８を制御することによって、各構成部材１をあるパターンにしたがって、各構成部材１の背部から順次照明したり、それに併せて、又は併せずに、納骨堂内壁８の正面全体の明るさをラインファイバーフィクスチャ２４によって変化させたり、礼拝スペース１８に人がいないときには照明をやめたり、関係者の選択操作にしたがって、その関係者の構成部材１のみを照明ボックス２８により照明したり、それと共に納骨堂内壁８の正面全体の明るさを変化させたり、又は変化させなかったり、或いは関係者の構成部材１のみは照明を続け、その他の構成部材１はあるパタ−ンで順次照明したり、点滅させたり、それと共に納骨堂内壁８の正面全体の明るさを変化させたり、或いは変化させなかったりと、種々の態様で照明できるように、コンピューターにより制御されることが好ましい。
【００３６】
【発明の効果】
この発明によれば、構成部材がブロック状物体の内部に宗教を象徴する物体を備えるものであるため、ブロック状物体の内部に備えられる宗教を象徴する物体を異ならせることにより、構成部材が異なるものとなる。  それゆえ、宗教を象徴する物体を多種多様のものとすれば、構成部材も多種多様なものとなる。  そして、宗教を象徴する物体又は構成部材が多種多様のものであるため、生前の利用者又は遺族である関係者は、その多種多様の中から気に入った宗教を象徴する物体又は構成部材を選ぶことが可能となる。    したがって、その選ばれた宗教を象徴する物体を含む構成部材は、利用者又は関係者にとって非常に意味のある、例えば、墓標のようなものとなる。
そして、このように利用者又は関係者にとって非常に意味のある構成部材が納骨堂内壁に含まれているのであるから、納骨堂内壁は、利用者又は関係者にとって、もはや装飾的なものではなく、非常に意味のあるものとなる。  したがって、関係者は、利用者又は関係者によって選ばれた構成部材のある納骨堂内壁に向かえば、それだけで墓参の気持ちを味わえるようになり、わざわざ搬送装置により骨壷収納庫を関係者の面前まで選んでくる必要がなくなる。    そのため、搬送装置の維持管理の費用が節約できるようになる。
しかも、構成部材のブロック状物体は透明素材から成るものであるから、関係者は、納骨堂内壁を介してその背部の骨壷収納庫設置スペースの骨壷収納庫をほのかに望むことができ、より敬けんな心境となって手を合わせることができる。    
その上、照明手段によって納骨堂内壁が種々の態様で照明され、又、関係する構成部材だけを照明することもできるから、礼拝の雰囲気がいやがうえにも増すものとなる。
【図面の簡単な説明】
【図１】構成部材の斜視図である。
【図２】第１の実施形態に係る納骨堂内壁の斜視図である。
【図３】第２の実施形態に係る納骨堂内壁の斜視図である。
【図４】構成部材の設置図である。
【図５】納骨堂の平面図である。
【図６】納骨堂の縦断面図である。
【図７】納骨堂天井を含む平面図である。
【図８】照明ボックスの正面図８（ａ）、横断面図８（ｂ）及び側面図８（ｃ）である。
【符号の説明】
１・・・  納骨堂内壁の構成部材
８・・・  納骨堂内壁
【図１】
2004211484.tif 000003
【図２】
2004211484.tif 000004
【図３】
2004211484.tif 000005
【図４】
2004211484.tif 000006
【図５】
2004211484.tif 000007
【図６】
2004211484.tif 000008
【図７】
2004211484.tif 000009
【図８】
2004211484.tif 000010